【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
ユーザ機器(UE)によって実行されるワイヤレス通信の方法であって、
タイミング調整のための値を示すタイミング調整コマンドを受信するステップと、
タイミング調整オフセットに少なくとも部分的に基づいてタイミング調整を行うステップと、
を備え、
前記タイミング調整オフセットは、前記タイミング調整のための値および粒度に少なくとも部分的に基づき、
前記粒度は、前記UEに関連付けられたヌメロロジーに少なくとも部分的に基づく、
方法。
【請求項２】
前記粒度が基づく前記ヌメロロジーは、前記UEのアップリンク送信のヌメロロジーである、請求項1に記載の方法。
【請求項３】
前記タイミング調整は、前記タイミング調整コマンドを共有するタイミング調整グループ(TAG)に対して実行される、請求項1に記載の方法。
【請求項４】
前記粒度が基づく前記ヌメロロジーは、前記TAGの指定されたキャリアに関連付けられたヌメロロジーである、請求項3に記載の方法。
【請求項５】
前記タイミング調整は、初期アクセス手順が実行された後に実行される、請求項1に記載の方法。
【請求項６】
前記タイミング調整は、ランダムアクセス応答(RAR)を受信することに少なくとも部分的に基づいて実行される、請求項1に記載の方法。
【請求項７】
前記タイミング調整は、前記ヌメロロジーに少なくとも部分的に基づく遅延の後に実行され、
前記遅延は、前記タイミング調整コマンドのシグナリングと前記タイミング調整の適用との間である、請求項1に記載の方法。
【請求項８】
前記タイミング調整は、前記UEの能力に少なくとも部分的に基づく遅延の後に実行され、
前記遅延は、前記タイミング調整コマンドのシグナリングと前記タイミング調整の適用との間である、請求項1に記載の方法。
【請求項９】
ワイヤレス通信のためのユーザ機器(UE)であって、
メモリと、
前記メモリに結合された1つまたは複数のプロセッサとを備え、前記メモリおよび前記1つまたは複数のプロセッサが、
タイミング調整のための値を示すタイミング調整コマンドを受信することと、
タイミング調整オフセットに少なくとも部分的に基づいてタイミング調整を行うことと、
を行うよう構成され、
前記タイミング調整オフセットは、前記タイミング調整のための値および粒度に少なくとも部分的に基づき、
前記粒度は、前記UEに関連付けられたヌメロロジーに少なくとも部分的に基づく、
ユーザ機器(UE)。
【請求項１０】
前記粒度が基づく前記ヌメロロジーは、前記UEのアップリンク送信のヌメロロジーである、請求項9に記載のUE。
【請求項１１】
前記タイミング調整は、前記タイミング調整コマンドを共有するタイミング調整グループ(TAG)に対して実行される、請求項9に記載のUE。
【請求項１２】
前記粒度が基づく前記ヌメロロジーは、前記TAGの指定されたキャリアに関連付けられたヌメロロジーである、請求項11に記載のUE。
【請求項１３】
前記タイミング調整は、初期アクセス手順が実行された後に実行される、請求項9に記載のUE。
【請求項１４】
前記タイミング調整は、ランダムアクセス応答(RAR)を受信することに少なくとも部分的に基づいて実行される、請求項9に記載のUE。
【請求項１５】
前記タイミング調整は、前記ヌメロロジーに少なくとも部分的に基づく遅延の後に実行され、
前記遅延は、前記タイミング調整コマンドのシグナリングと前記タイミング調整の適用との間である、請求項9に記載のUE。
【請求項１６】
前記タイミング調整は、前記UEの能力に少なくとも部分的に基づく遅延の後に実行され、
前記遅延は、前記タイミング調整コマンドのシグナリングと前記タイミング調整の適用との間である、請求項9に記載のUE。
【請求項１７】
ワイヤレス通信のための1つまたは複数の命令を記憶する非一時的なコンピュータ可読記憶媒体であって、前記1つまたは複数の命令が、
ユーザ機器(UE)の1つまたは複数のプロセッサによって実行されると、前記1つまたは複数のプロセッサに、
タイミング調整のための値を示すタイミング調整コマンドを受信することと、
タイミング調整オフセットに少なくとも部分的に基づいてタイミング調整を行うことと、
を行わせる1つまたは複数の命令を含み、
前記タイミング調整オフセットは、前記タイミング調整のための値および粒度に少なくとも部分的に基づき、
前記粒度は、前記UEに関連付けられたヌメロロジーに少なくとも部分的に基づく、
非一時的なコンピュータ可読記憶媒体。
【請求項１８】
前記粒度が基づく前記ヌメロロジーは、前記UEのアップリンク送信のヌメロロジーである、請求項17に記載の非一時的なコンピュータ可読記憶媒体。
【請求項１９】
前記タイミング調整は、前記タイミング調整コマンドを共有するタイミング調整グループ(TAG)に対して実行される、請求項17に記載の非一時的なコンピュータ可読記憶媒体。
【請求項２０】
前記タイミング調整は、初期アクセス手順が実行された後に実行される、請求項17に記載の非一時的なコンピュータ可読記憶媒体。
【請求項２１】
前記タイミング調整は、ランダムアクセス応答(RAR)を受信することに少なくとも部分的に基づいて実行される、請求項17に記載の非一時的なコンピュータ可読記憶媒体。
【請求項２２】
前記タイミング調整は、前記ヌメロロジーに少なくとも部分的に基づく遅延の後に実行され、
前記遅延は、前記タイミング調整コマンドのシグナリングと前記タイミング調整の適用との間である、請求項17に記載の非一時的なコンピュータ可読記憶媒体。
【請求項２３】
前記タイミング調整は、前記UEの能力に少なくとも部分的に基づく遅延の後に実行され、
前記遅延は、前記タイミング調整コマンドのシグナリングと前記タイミング調整の適用との間である、請求項17に記載の非一時的なコンピュータ可読記憶媒体。
【請求項２４】
ワイヤレス通信のための装置であって、
タイミング調整のための値を示すタイミング調整コマンドを受信する手段と、
タイミング調整オフセットに少なくとも部分的に基づいてタイミング調整を行う手段と、
を備え、
前記タイミング調整オフセットは、前記タイミング調整のための値および粒度に少なくとも部分的に基づき、
前記粒度は、前記装置に関連付けられたヌメロロジーに少なくとも部分的に基づく、
装置。
【請求項２５】
前記粒度が基づく前記ヌメロロジーは、前記装置のアップリンク送信のヌメロロジーである、請求項24に記載の装置。
【請求項２６】
前記タイミング調整は、前記タイミング調整コマンドを共有するタイミング調整グループ(TAG)に対して実行される、請求項24に記載の装置。
【請求項２７】
前記タイミング調整は、初期アクセス手順が実行された後に実行される、請求項24に記載の装置。
【請求項２８】
前記タイミング調整は、ランダムアクセス応答(RAR)を受信することに少なくとも部分的に基づいて実行される、請求項24に記載の装置。
【請求項２９】
前記タイミング調整は、前記ヌメロロジーに少なくとも部分的に基づく遅延の後に実行され、
前記遅延は、前記タイミング調整コマンドのシグナリングと前記タイミング調整の適用との間である、請求項24に記載の装置。
【請求項３０】
前記タイミング調整は、前記装置の能力に少なくとも部分的に基づく遅延の後に実行され、
前記遅延は、前記タイミング調整コマンドのシグナリングと前記タイミング調整の適用との間である、請求項24に記載の装置。